(57)【特許請求の範囲】
【請求項１】
レンズ付属物の第１取付部がカメラ鏡胴の前部に設けられた前方取付部に係着されているとともに、
レンズ付属物の第２取付部がカメラ鏡胴の固定外筒に圧接係着されていることによって、
レンズ付属物がカメラ鏡胴に対して取付けられていることを特徴とするレンズ付属物の取付構造。
【請求項２】
前記第２取付部は、前記固定外筒に臨むように配置されたロック部材と、該ロック部材と連動するように構成されたロック操作部材とを有しており、
前記第２取付部は、該ロック操作部材の動きに応じて前記ロック部材が固定外筒に向けて近づきながら固定外筒に圧接するように構成されていることを特徴とする、請求項１記載のレンズ付属物の取付構造。
【請求項３】
前記ロック操作部材は、カメラ鏡胴の略光軸を中心に回動するか又はカメラ鏡胴の略光軸に沿ってスライド運動することを特徴とする、請求項２記載のレンズ付属物の取付構造。
【請求項４】
カメラ鏡胴が固定外筒と可動内筒とから構成されていて、前記前方取付部は、前玉レンズを保持し且つ光軸方向に移動する可動内筒の前部に設けられていることを特徴とする、請求項１記載のレンズ付属物の取付構造。
【請求項５】
前記第２取付部は、前記固定外筒上に回転自在に設けられたリング体であって該リング体の回転に応じて前記可動内筒が光軸方向に移動するように構成されたズーム操作リングに対して、圧接係着されていることを特徴とする、請求項１記載のレンズ付属物の取付構造。
【発明の詳細な説明】
【０００１】
【発明の属する技術分野】
本発明は、カメラのレンズ付属物の取付構造に関し、詳しくは、レンズユニット前部に取付けられる、テレコンバータ又はワイドコンバータその他のコンバータ等のレンズ付属物の取付構造に関する。
【０００２】
【従来の技術】
カメラ鏡胴のレンズユニット前部には、主として小型軽量のフィルターを取付けるためのフィルタ取付ネジが設けられている。一方、テレコンバータ等のコンバータには、該フィルタ取付ネジに対してネジ留めするための係合ネジが設けられている。カメラ鏡胴及びコンバータの両者は、レンズユニット前部に設けられたフィルタ取付ネジと、コンバータに設けられた係合ネジとが螺合することによって固定されている。すなわち、従来のコンバータの取付構造は、上記フィルタ取付ネジにおいて一箇所で固定された前部単独支持構造である。
【０００３】
ところで、レンズユニット前部に取付られるコンバータは、本来カメラ鏡胴に取付けられる小型軽量のフィルタよりも、通常、大きくて重たい。したがって、前部単独支持構造においては、フィルタ取付ネジを介して大きくて重たいコンバータをレンズユニット前部に取付けると、フィルタ取付ネジに大きな負荷がかかるために、フィルタ取付ネジが破損してしまうという不具合がある。
【０００４】
このことを防止するために、図１に示すように、上述した前部単独支持構造に加えて、カメラ本体１０３の下部からレンズ先端に向けて延在する支持アーム１０７によって、コンバータ１１０を支持する二箇所支持構造が提案されている。すなわち、図１に示すように、コンバータ１１０の係合ネジ１２１が鏡胴１０５のフィルタ取付ネジ１６９にネジ留めされている。それとともに、カメラ本体１０３の下部からレンズ先端部に向けて延在する支持アーム１０７が設けられてなり、コンバータ１１０は、連結つまみ１０９を介して、支持アーム１０７で支持されている。
【０００５】
支持アーム１０７を用いた上記二箇所支持構造は、支持アーム１０７の大きな設置スペースを必要とするためにカメラが全体として嵩高いものになること、及び支持アーム１０７をカメラ本体１０３に取付けるための構成をカメラ本体１０３に予め設けておく必要があること等の問題を有している。
【０００６】
また、上述した前部単独支持構造は、鏡胴１０５の固定外筒１５１に設けられたズーム操作リング１５９が露出しているために、使用者がズーム操作リング１５９を不用意に操作する可能性のある構造となっている。このような構成では、使用者が不用意にズーム操作リング１５９を回動させると、鏡胴１０５に内蔵されたズーム機構が働いてしまう。しかしながら、鏡胴１０５に取付られたコンバータ１１０は、一般に、コンバータレンズの規定焦点位置でのみ性能保証されているが、それ以外の位置では性能保証されていない。したがって、上記いずれの構成でも、使用者によってズーム操作リング１５９が不用意に回動されることによってズーム操作リング１５９が誤ったズーム位置になった場合でも、撮影が行なわれてしまうものの、その撮影画像はいわゆるピンぼけや画質の悪い画像となってしまうという問題を有している。
【０００７】
【発明が解決しようとする課題】
従って、本発明の解決すべき技術的課題は、コンパクトで確実な固定が達成されるレンズ付属物の取付構造を提供することである。
【０００８】
さらに、本発明の解決すべき技術的課題は、使用者によってズーム操作リングが不用意に操作されてもズーム機構が動作しないレンズ付属物の取付構造を提供することである。
【０００９】
【課題を解決するための手段・作用・効果】
上記技術的課題を解決するために、本発明は、レンズ付属物の第１取付部がカメラ鏡胴の前部に設けられた前方取付部に係着されているとともに、レンズ付属物の第２取付部がカメラ鏡胴の固定外筒に圧接係着されていることによって、レンズ付属物がカメラ鏡胴に対して取付けられていることを特徴とする。
【００１０】
上記構造によれば、レンズ付属物の第１取付部が鏡胴の前方取付部に係着しているとともに、レンズ付属物の第２取付部がカメラ鏡胴の固定外筒に圧接係着している。したがって、レンズ付属物がカメラ鏡胴に対して二箇所で支持固定されている。すなわち、レンズ付属物はカメラ鏡胴に対して確実に固定されている。また、上記構造は大きな設置スペースを必要としないために、レンズ付属物の装着されたカメラは全体としてコンパクトである。
【００１１】
レンズ付属物のカメラ鏡胴に対する取付けは、具体的には、以下のように構成されている。すなわち、レンズ付属物の第２取付部は、カメラ鏡胴の固定外筒に臨むように配置されたロック部材と、該ロック部材と連動するように構成されたロック操作部材とを有しており、第２取付部は、該ロック操作部材の動きに応じてロック部材が固定外筒に向けて近づきながら固定外筒に圧接するように構成されている。
【００１２】
好ましくは、ロック操作部材が、カメラ鏡胴の略光軸を中心に回動するか又はカメラ鏡胴の略光軸に沿ってスライド運動するように構成することにより、ロック操作がワンタッチで行なわれる。
【００１３】
上記取付構造は、ズーム機能のない固定焦点レンズや、レンズ群が鏡胴内部で光軸方向に動くものの前玉レンズが繰り出されない鏡胴非繰り出し式ズームレンズ（例えば、ビデオカメラ用レンズ）に対しても適用することができるが、前玉レンズが繰り出される鏡胴繰り出し式ズームレンズに対して適用することができる。すなわち、固定外筒と可動内筒とから構成されている鏡胴繰り出し式ズームレンズに対しては、前玉レンズを保持し且つ光軸方向に移動する可動内筒の前部に、前方取付部を設けることができる。
【００１４】
好ましくは、第２取付部は、前記固定外筒上に回転自在に設けられたリング体であって該リング体の回転に応じて前記可動内筒が光軸方向に移動するように構成されたズーム操作リングに対して、圧接係着されている。
【００１５】
上記構成によれば、鏡胴に内蔵されたズーム機構を操作するためのズーム操作リングが、第２取付部によって圧接係着されている。したがって、ズーム操作リングが固定されて動かなくなっており、しかもズーム操作リングに触れること自体できないために、使用者がズーム操作リングを不用意に操作しても、ズーム機構が動作することはない。
【００１６】
【発明の実施の形態】
以下に、本発明の第１実施形態に係るレンズ付属物の取付構造について図２〜５に従って詳細に説明する。
【００１７】
まず、図２を参照しながら、カメラ及びレンズ付属物の全体構成について説明する。図２は、レンズ付属物としてのワイドコンバータ１０がカメラ１の鏡胴５に取付けられている様子を示す断面図である。
【００１８】
カメラボディ３に装着された鏡胴５には、公知のズーム機構が内蔵されている。すなわち、鏡胴５に内蔵されたズーム機構は、カメラボディ３に不動に固定された固定外筒５１と、前玉レンズとしての第１レンズ群６１を保持するとともに固定外筒５１に対して光軸２の方向に移動する可動内筒５３と、中玉レンズの第２レンズ群６３を保持するとともにカメラボディ３に不動に固定された内筒５７と、内筒５７の回りを回動するとともに可動内筒５３から突起したピンと螺合するカム溝（不図示）の形成されたカム筒５５とから構成される。また、固定外筒５１に設けられた直線溝（不図示）と、可動内筒５３に設けられた直線キー（不図示）との作用によって可動内筒５３が直進する。
【００１９】
固定外筒５１の外面が周状に切り欠かれた周状凹部には、カム筒５５を回転させるためのズーム操作リング５９が配置されている。ズーム操作リング５９とカム筒５５との間は不図示の連結部材で連結されている。ズーム操作リング５９が回転すると、その回転力が連結部材を介してカム筒５５に伝達される。その結果、カム筒５５が光軸２を中心に回転して、可動内筒５３が固定外筒５１に対して相対的に前後動する。
【００２０】
可動内筒５３の前部６５において、その内周面上にはフィルターをネジ留めするためのフィルタ取付ネジ６９が、その外周面上にはフード等を取付けるためのフード取付部６７が、それぞれ、設けられている。
【００２１】
ワイドコンバータ１０は、鏡胴５の前方側に配置されて、カメラ鏡胴５の光軸２とワイドコンバータ１０の光軸２とが一直線上にあるように鏡胴５に対して取付けられている。ワイドコンバータ１０は、コンバータレンズ群１３を保持するレンズ保持部材１１と、レンズ保持部材１１の背後側に設けられてレンズ保持部材１１に対して回動自在のロック操作部材１５と、レンズ保持部材１１の背後部に固定された回転支持ピン１９を中心に回転するロック部材１７と、フィルタ取付ネジ６９と螺合するコンバータ側係合ネジ２１とを備えてなる。
【００２２】
次に、図３〜５を参照しながら、ワイドコンバータ１０の取付構造及び取付方法について説明する。図３は、図２の取付構造において、ワイドコンバータ１０が鏡胴５に対して非ロック状態であるときの要部拡大断面図である。図４は、図２の取付構造において、ワイドコンバータ１０が鏡胴５に対してロック状態であるときの要部拡大断面図である。図５は、図２の取付構造において、ワイドコンバータ１０が鏡胴５に対して非ロック状態からロック状態になる様子を示す説明図である。
【００２３】
まず、従来技術のところで説明したのと同様に、カメラ鏡胴５に設けられたフィルタ取付ネジ６９と、コンバータ側係合ネジ２１とが螺合されて、ワイドコンバータ１０がカメラ鏡胴５に対して前部支持される。
【００２４】
図５は、鏡胴５に装着されたワイドコンバータ１０を背後側から見た図である。レンズ保持部材１１の背後部に回動自在に支持されたロック部材１７は、円周上に１２０度毎に３箇所配設されている。ロック部材１７は、光軸２との直交方向に延在し、回転支持ピン１９を中心にしていわゆるシーソー運動をする。図５において、ロック部材１７の右上部が盛り上がっており突出部１７ａが形成されている。
【００２５】
一方、大略リング状のロック操作部材１５の内周面には、凸部１５ａ及び凹部１５ｂが交互に周期的に形成されている。凸部１５ａは、回転方向に沿って、回転中心方向に向かって突出する突出量が大きくなっている。図５の（Ａ）に示されているように、ロック操作部材１５は、その内周面形状がロック部材１７の上部の外周面形状に大略沿うように構成されている。図５の（Ａ）は、ワイドコンバータ１０が鏡胴５に対して非ロック状態であることを示し、図３に対応している。
【００２６】
図５の（Ａ）の状態から、ロック操作部材１５を反時計回りに５度回転させると、図５の（Ｂ）の状態になり、さらに１０度回転させると、図５の（Ｃ）の状態になる。ずなわち、図５の（Ａ）〜（Ｃ）の間は、ロック部材１７が回転していない。図５の（Ｃ）の状態から、さらに５度回転させると、図５の（Ｄ）のように、ロック操作部材１５の凸部１５ａがロック部材１７の突出部１７ａに当接しながら、ロック部材１７が時計回りに回転する。さらに１０度回転させると、図５の（Ｅ）のように、ロック部材１７がさらに時計回りに回転して、ロック部材１７の右半分がズーム操作リング５９に向けて押し下げられる。その結果、ロック部材１７の右下の圧接部１７ｂが、ズーム操作リング５９の外周面に圧接されて、ワイドコンバータ１０が鏡胴５に対してロック状態で固定される。このロック状態は、図４に対応している。この状態では、ズーム操作リング５９がロックされた状態となり、ズーム操作リング５９の操作は不可能である。
【００２７】
図６は、本発明の第２実施形態に係るレンズ付属物の取付構造を示す要部拡大断面図である。すなわち、図６におけるレンズ付属物の取付構造は、上述した第１実施形態と大略同じであるが、ワイドコンバータ１０の代りにテレコンバータ１０を用いた点が、第１実施形態と異なっている。
【００２８】
図６に示すように、鏡胴５に内蔵されたズーム機構がテレ位置にあるので、鏡胴５の可動内筒５３が前方に繰り出されて、鏡胴５の全長が長くなっている。テレコンバータ１０のレンズ保持部材１１は、その背後側の先端部が固定外筒５１の前部に設けられたズーム操作リング５９まで届くように、第１実施形態のそれよりも長尺になっている。したがって、第２実施形態に係るテレコンバータ１０においては、レンズ保持部材１１が長尺になっていることを除いて、その他の構成は、第１実施形態のそれと同じである。
【００２９】
図７は、本発明の第３実施形態に係るレンズ付属物の取付構造を示す要部拡大断面図である。すなわち、図７におけるレンズ付属物の取付構造は、上述した第１実施形態と大略同じであるが、ワイドコンバータ１０の圧接係着構造が、第１実施形態と異なっている。
【００３０】
図７に示した圧接係着構造は、上述した第１実施形態と同様に、固定されたレンズ保持部材１１に対してロック操作部材１５を回転させることによって、ロック部材１７を鏡胴５に圧接係着させるタイプのものである。
【００３１】
図５と同様に、レンズ保持部材１１に対して回動自在である大略リング状のロック操作部材１５は、その内周面に、凸部１５ａ及び凹部１５ｂが交互に周期的に形成されている。凸部１５ａは、回転方向に沿って、回転中心方向に向かって突出する突出量が大きくなっている。
【００３２】
一方、ロック部材１７は、光軸２の方向に延在し、側面視、大略靴形状をしてなり、その背後側の端部が上下にそれぞれ突起している。背後側の上部突起は、ロック操作部材１５の内周面に対して摺動される突出部１７ａである。背後側の下部突起は、鏡胴５のズーム操作リング５９に臨むように配置された圧接部１７ｂである。大略靴形状のロック部材１７は、回転支持部１９ａを支点にしていわゆるシーソー運動する。そして、例えば板バネ等の弾性部材（不図示）がロック部材１７の前方側に設けられており、ロック部材１７の前方側を鏡胴方向（図７では下向き）に付勢するように構成されている。したがって、ワイドコンバータ１０が鏡胴５に対して非ロック状態であるときには、ロック部材１７の背後側端部が反鏡胴方向（図７では上向き）に付勢されている。
【００３３】
図７において、実線で示したロック操作部材１５及びロック部材１７は、それぞれ、ワイドコンバータ１０が鏡胴５に対して非ロック状態のものをあらわしており、破線で示したロック操作部材１５及びロック部材１７は、それぞれ、ワイドコンバータ１０が鏡胴５に対してロック状態のものをあらわしている。
【００３４】
実線で示した非ロック状態のワイドコンバータ１０及び鏡胴５において、第１実施形態のところで説明したのと同様に、ロック操作部材１５を回転させるにしたがって、ロック操作部材１５の凹部１５ｂに当接していたロック部材１７の突出部１７ａが、ロック操作部材１５の凸部１５ａに当接するようになって、ロック部材１７の背後部がズーム操作リング５９に向けて押し下げられる。その結果、ロック部材１７の背後側の圧接部１７ｂが、ズーム操作リング５９の外周面に圧接されて、ワイドコンバータ１０が鏡胴５に対してロック状態で固定される。
【００３５】
図８及び９は、本発明の第４実施形態に係るレンズ付属物の取付構造を示す要部拡大断面図である。図８は、コンバータが鏡胴に対して非ロック状態であることをあらわしており、図９は、コンバータが鏡胴に対してロック状態であることをあらわしている。図８及び９に示したレンズ付属物の取付構造は、上述した第３実施形態と大略同じであるが、ワイドコンバータ１０の圧接係着構造が、第３実施形態のそれと異なっている。
【００３６】
図８及び９に示した圧接係着構造は、上述した第３実施形態と同様に、光軸２の方向に延在する大略靴形状をしたロック部材１７が鏡胴５に圧接係着させるタイプのものであるが、固定されたレンズ保持部材１１に対してロック操作部材１５を光軸２に沿ってスライド移動させることによって、ロック部材１７が鏡胴５に圧接係着するスライド操作タイプのものである。
【００３７】
ロック部材１７は、光軸２の方向に延在し、側面視、大略靴形状をしてなり、前方側平坦部に連なる上斜面１７ｃは背後側に行くにしたがって隆起した形状をしている。背後部の下部突起は、鏡胴５のズーム操作リング５９に臨むように配置された圧接部１７ｂである。ロック部材１７は、回転支持部１９ａを支点にして上下にいわゆるシーソー運動する。
【００３８】
一方、ロック操作部材１５は、レンズ保持部材１１の上面に設けられたスライドガイド２９と係合するスライド部２７を下面上に備えており、ロック操作部材１５がレンズ保持部材１１に対してスライド自在になっている。ロック操作部材１５は、上斜面１７ｃと係合する半球状の押圧突起２５を背後側の下面上に備えている。
【００３９】
図８に示した非ロック状態のワイドコンバータ１０及び鏡胴５において、ロック操作部材１５を背後側にスライド移動させるに従って、ロック部材１７の前方側平坦部に当接しているロック操作部材１５の押圧突起２５が、ロック部材１７の上斜面１７ｃに当接するようになる。ロック操作部材１５をさらに背後側にスライド移動させると、ロック部材１７の背後部がズーム操作リング５９に向けて押し下げられる。その結果、図８に示すように、ロック部材１７の圧接部１７ｂが、ズーム操作リング５９の外周面に圧接されて、ワイドコンバータ１０が鏡胴５に対してロック状態で固定される。
【００４０】
上述した第１〜４の実施形態は、いずれも、使用者によって操作されるロック操作部材１５に連動したロック部材１７が、圧接係着対象物であるズーム操作リング５９に対して間接的に作用する構成である。これに対して、使用者によって操作される係止装置が圧接係着対象物に対して直接作用する構成を、第５実施形態及び第６実施形態として以下に説明する。
【００４１】
図１０は、本発明の第５実施形態に係るレンズ付属物の取付構造を示す要部拡大断面図である。すなわち、図１０におけるレンズ付属物の取付構造は、第１実施形態のところで説明した、フィルタ取付ネジ６９を用いた前部支持構造に加えて、使用者によって操作される係止装置が、圧接係着対象物であるズーム操作リング５９に対して直接作用する構成を備えている。
【００４２】
図１０に示すように、ワイドコンバータ１０の円筒状のレンズ保持部材１１の背後側の下部が切り欠かれて、切り欠かれた下部に係止装置３０が配設されている。係止装置３０は、その背後側先端にロック爪３３を有して、回転支持ピン３５を中心に回動するアーム３１と、アーム３１のロック爪３３を鏡胴５に向けて付勢する押圧バネ３７とを備えている。一方、鏡胴５の固定外筒５１の外周面上には、ロック爪３３と係合するロック爪受部７１が予め設けられている。
【００４３】
図１０において、破線で示したアーム３１は、ワイドコンバータ１０が鏡胴５に対して非ロック状態であることをあらわしており、実線で示したアーム３１は、ワイドコンバータ１０が鏡胴５に対してロック状態であることをあらわしている。
【００４４】
アーム３１の先端部が反鏡胴側に把持されながら、コンバータ側係合ネジ２１がフィルタ取付ネジ６９にネジ留めされて、ワイドコンバータ１０が鏡胴５に前部支持される。ロック爪３３がロック爪受部７１に適合するように、ワイドコンバータ１０が位置決めされたあと、把持されたアーム３１先端部が解放されるとロック爪３３が鏡胴５に向けて付勢される。その結果、レンズ保持部材１１の背後側上部がズーム操作リング５９に当接するとともに、ロック爪３３がロック爪受部７１に圧接係合して、ワイドコンバータ１０が鏡胴５に対してロック状態で固定されている。すなわち、使用者によって操作される係止装置３０が、圧接係着対象物であるズーム操作リング５９に対して直接作用している。
【００４５】
図１１は、本発明の第６実施形態に係るレンズ付属物の取付構造を示す要部拡大断面図である。すなわち、図１１におけるレンズ付属物の取付構造は、第５実施形態と同様に、使用者によって操作される係止装置が圧接係着対象物であるズーム操作リング５９に対して直接作用する構成を備えている。
【００４６】
図１１に示すように、ズーム操作リング５９の前方側外周縁の上部には、丸みを持った受圧斜面５９ａが配置されている。一方、ワイドコンバータ１０の円筒状のレンズ保持部材１１の背後側の外周縁が斜めにカットされて、押圧斜面１１ａが形成されている。押圧斜面１１ａは、受圧斜面５９ａに被さるように対向配置されている。コンバータ側係合ネジ２１がフィルタ取付ネジ６９にネジ留めされて、ワイドコンバータ１０が鏡胴５に装着されるときに、押圧斜面１１ａが受圧斜面５９ａに当接する。したがって、ネジを締付けるときのネジ締付力によって、押圧斜面１１ａが受圧斜面５９ａに圧接係着されているので、ワイドコンバータ１０は押圧斜面１１ａにおいても支持されている。
【００４７】
なお、上記実施形態においては、いずれも、レンズ保持部材１１が鏡胴５のズーム操作リング５９に圧接係着された構成であるが、レンズ保持部材１１がズーム操作リング５９以外の固定外筒５１の外周面上に圧接係着された構成であってもよい。
【００４８】
また、上記実施形態では、いずれも、３個のロック部材１７がレンズ保持部材１１に対して円周上に１２０度に略均等に配置された構成を開示しているが、一つのロック部材１７が、コンバータ１０の荷重が最も負荷されるレンズ保持部材１１の上位置に配置された構成、あるいは複数（２個や４個等）のロック部材１７がレンズ保持部材１１に対して円周上に略均等に配置された構成であってもよい。
【００４９】
また、上記実施形態においては、いずれも、前方取付部がフィルタ取付ネジ６９である場合について説明されているが、前方取付部が可動内筒５３の前方外周部に形成されたフード取付部６７であってもよい。また、本発明に係る取付構造は、コンバータ１０の取付けられる鏡胴５がズーム機構を有するものについて説明されているが、単焦点レンズを有するものについても適用可能である。上述したコンバータ１０以外に、例えばリングフラッシュ（リング発光部）のようにカメラ鏡胴５の前部に取付けられるレンズ付属物に対しても適用可能である。
【図面の簡単な説明】
【図１】従来技術に係るコンバータの取付構造を示す断面図である。
【図２】本発明の第１実施形態に係る、コンバータの取付構造を示す断面図である。
【図３】図２の取付構造において、コンバータが鏡胴に対して非ロック状態であるときの要部拡大断面図である。
【図４】図２の取付構造において、コンバータが鏡胴に対してロック状態であるときの要部拡大断面図である。
【図５】図２の取付構造において、コンバータが鏡胴に対して非ロック状態からロック状態になる様子を示す説明図である。コンバータが鏡胴に対して非ロック状態であることを示す（Ａ）から、順次、コンバータが鏡胴に対してロック状態であることを示す（Ｅ）まで変化する。
【図６】本発明の第２実施形態に係る、テレコンバータレンズの装着されたコンバータの取付構造を示す要部拡大断面図である。
【図７】本発明の第３実施形態に係る、コンバータの取付構造を示す要部拡大断面図である。
【図８】本発明の第４実施形態に係る、鏡胴に対して非ロック状態であるときのコンバータの取付構造を示す要部拡大断面図である。
【図９】本発明の第４実施形態に係る、鏡胴に対してロック状態であるときのコンバータの取付構造を示す要部拡大断面図である。
【図１０】本発明の第５実施形態に係る、コンバータの取付構造を示す要部拡大断面図である。
【図１１】本発明の第６実施形態に係る、コンバータの取付構造を示す要部拡大断面図である。
【符号の説明】
１  カメラ
２  光軸
３  カメラボディ
５  鏡胴
１０  コンバータ
１１  レンズ保持部材
１１ａ  押圧斜面
１３  コンバータレンズ群
１５  ロック操作部材
１５ａ  凸部
１５ｂ  凹部
１７  ロック部材
１７ａ  突出部
１７ｂ  圧接部
１７ｃ  上斜面
１９  回転支持ピン
１９ａ  回転支持部
２１  コンバータ側係合ネジ
２５  押圧突起
２７  スライド部
２９  スライドガイド
３０  係止装置
３１  アーム
３３  ロック爪
３５  回転支持ピン
３７  押圧バネ
５１  固定外筒
５３  可動内筒
５５  カム筒
５７  内筒
５９  ズーム操作リング
５９ａ  受圧斜面
６１  第１レンズ群
６３  第２レンズ群
６５  前部
６７  フード取付部
６９  フィルタ取付ネジ
７１  ロック爪受部
【図１】
0003584916.tif 000002
【図２】
0003584916.tif 000003
【図３】
0003584916.tif 000004
【図４】
0003584916.tif 000005
【図５】
0003584916.tif 000006
【図６】
0003584916.tif 000007
【図７】
0003584916.tif 000008
【図８】
0003584916.tif 000009
【図９】
0003584916.tif 000010
【図１０】
0003584916.tif 000011
【図１１】
0003584916.tif 000012